(57)【特許請求の範囲】
【請求項１】
版胴の外周に軸線方向に延在する長溝を形成し、この長溝内に版のくわえ側端部および尻側端部を係入させて版を版胴の外周面に装着する輪転印刷機の版装着構造において、前記長溝の軸線方向の両端部に版の天地方向に平行な見当面が形成された一対の見当部材を設け、前記版のくわえ側端部の幅方向の両端部にこれら見当部材の見当面間に滑合する一対の切欠きを設けるとともに、これら切欠きの先端部に面取部を設け、前記見当部材を版胴の軸線方向に位置調整可能に支持したことを特徴とする輪転印刷機の版装着構造。
【請求項２】
請求項１記載の輪転印刷機の版装着構造において、版の尻側端部の幅方向の両端部に見当部材の見当面間に遊合する一対の切欠きを設けたことを特徴とする輪転印刷機の版装着構造。
【請求項３】
請求項１記載の輪転印刷機の版装着構造において、前記見当部材を、小軸が設けられた見当ブロックとし、前記版胴側に前記小軸が係入され前記見当部材の見当面の版胴の軸線方向への位置を調整可能とする取付孔を設け、この取付孔に係入された前記小軸を固定する押しねじを備えたことを特徴とする輪転印刷機の版装着構造。
【発明の詳細な説明】
【０００１】
【発明の属する技術分野】
本発明は、輪転印刷機の版胴に刷版を巻き付けて装着する版装着構造に関する。
【０００２】
【従来の技術】
一般に、この種の版装着構造においては、版胴の外周に軸線方向に延在するように形成した長溝内に巻棒が回動自在に貫挿され、刷版（以下、単に版という。）のくわえ側端部と尻側端部とを長溝内に係入させ、巻棒を回動させて尻側端部を版張り方向に巻き上げることにより版を版胴の周面に装着している。この版の装着に当たっては、多色刷りにおける各印刷ユニットの版胴に装着された版に位置ずれがないように、版の天地方向および左右方向の見当合わせを行っている。このうち、左右の見当合わせについては、版胴の長溝内の軸線方向における両端部に設けた左右一対の見当部材と、版のくわえ側端部の両端に形成した左右一対の切欠きで行っている。すなわち、見当部材には版の天地方向に平行な見当面が形成され、版の切欠きにはこの見当面間に滑合する滑合面が形成され、版のくわえ側端部を長溝内に係入させる際に、滑合面を見当面に滑合させることにより見当合わせを行っている。
【０００３】
【発明が解決しようとする課題】
この場合、見当面間の間隔に対して滑合面間の間隔はほとんど同じ長さに形成されており、しかも長溝の幅は狭く形成され、かつくわえ側端部の先端部が長溝の上端縁部に係合するように折り曲げ形成されている。したがって、左右の切欠きの滑合面を見当面に滑合させながら、左右の幅および全長が長い版のくわえ側端部を長溝内に係入させる作業は、極めて煩雑で熟練を要する作業となり、準備に多くの時間を要するため生産性の向上に支障をきたしていた。このため、生産性を向上させる目的で、左右一対の切欠きのうち一方の切欠きの滑合面のみを見当部材の見当面に滑合させ、他方の滑合面と見当部材の見当面との間には数ｍｍ程度の隙間を設け、片側だけの見当合わせにして切欠きを見当部材に係入しやすくしていた。
【０００４】
しかしながら、くわえ側端部の見当合わせを行いくわえ側端部を長溝に係入させた後、版胴を略１回転させて版を版胴の周面に巻き付け、尻側端部を長溝内に係入させる作業の間に、他方の見当部材の見当面と切欠きとの間に設けた隙間分だけ版が左右方向にずれるおそれがあった。版がずれると、試刷りを何度も行いながら見当合わせをやり直さなければならず、結果として、準備に多くの時間を要し、かつ多くの損紙が発生する。しかも、他方の見当部材の見当面と切欠きとの間に設けた数ｍｍの隙間のために、見当部材間に切欠きを係入し終えたという感触が作業者に得られない。このため、くわえ側端部を長溝内に係入し終わっていないうちに版を版胴の周面に巻き付けてしまうおそれがあり、この場合には、版が版胴の周面から浮き上がり、版胴の周面に密着しないといった問題もあった。
【０００５】
本発明は上記した従来の問題に鑑みなされたものであり、その目的とするところは、損紙の発生を削減するとともに、準備時間を短縮した輪転印刷機の版装着構造を提供することにある。
【０００６】
【課題を解決するための手段】
この目的を達成するために、本発明に係る輪転印刷機の版装着構造は、版胴の外周に軸線方向に延在する長溝を形成し、この長溝内に版のくわえ側端部および尻側端部を係入させて版を版胴の外周面に装着する輪転印刷機の版装着構造において、前記長溝の軸線方向の両端部に版の天地方向に平行な見当面が形成された一対の見当部材を設け、前記版のくわえ側端部の幅方向の両端部にこれら見当部材の見当面間に滑合する一対の切欠きを設けるとともに、これら切欠きの先端部に面取部を設け、前記見当部材を版胴の軸線方向に位置調整可能に支持した。
したがって、切欠きを見当部材間に係入する際に、面取部が案内部材として機能する。
【０００７】
【発明の実施の形態】
以下、本発明の実施の形態を図に基づいて説明する。図１は本発明に係る輪転印刷機の版装着構造における版胴を一部破断して示す側面図、図２は同じく版胴のベアラの平面図、図３は同じくベアラに取り付けられるプレートを示し、（ａ）は右側面図、（ｂ）は平面図、（ｃ）は左側面図、図４は同じく版胴に版のくわえ側端部を係入する状態を示し、（ａ）は平面図、（ｂ）は（ａ）におけるｂ矢視拡大図、（ｃ）は（ａ）におけるｃ矢視拡大図、図５は同じく版胴に版の尻側端部を係入する状態を示し、（ａ）は平面図、（ｂ）は（ａ）におけるｂ矢視拡大図、（ｃ）は（ａ）におけるｃ矢視拡大図、図６は同じく版胴の見当ブロックへ版のくわえ側端部と尻側端部とを係入する状態を説明するためのモデル図、図７は同じく版胴に版を装着する動作を説明するための断面図で、（ａ）は装着する前の状態を示し、（ｂ）はくわえ側端部を長溝内に保持した状態を示し、（ｃ）は尻側端部を長溝内に係入する状態を示し、（ｄ）は尻側端部を長溝内に保持した状態を示す。なお、図４および図５において、便宜上、版については黒塗りで示し、見当ブロックについてはハッチングで示している。
【０００８】
図１において、全体を符号２で示す版胴の外周には、軸線方向に延在する断面が略扇形状の長溝３が形成され、この長溝３の両端部には、後述するプレート１３に見当ブロック２５を組み付けるために、平面視において三日月状で側面視において長方形状の凹部３ａが形成されている。長溝３内には断面が円形の巻棒４が貫挿され、長溝３に回動自在に支持され、この巻棒４の外周には、断面が略Ｖ字状の切溝５が軸線方向に延設され、この切溝５の右方の側壁には複数のピン６が植設されている。７は断面が略Ｖ字状に形成された１枚の板ばね材からなる版保持片であって、弾性変形させながら巻棒４の切溝５内に係入され、ピン６によって位置決めされることにより、切溝５内に弾持される。この版保持片７の両端は、巻棒４を版張り方向、すなわち、図中反時計方向にＬ字状に折り曲げられ、版くわえ側保持用の端部７ａおよび版尻側保持用の端部７ｂが形成されている。この巻棒４の切溝５、版保持片７の構造および巻棒４の版張りのための回動操作構造については、本出願人が提案した特開平９−６６５９８号公報に開示されているので、ここでは詳細な説明は省略する。
【０００９】
版胴２の両端部に設けられたベアラ９の長溝３に対応した外周には、断面が三日月状の凹部１０が形成され、この凹部１０には、プレート１３がボルト２１によって固定されている。すなわち、図３において、プレート１３は、外形が凹部１０の外形より僅かに小さい側面視において三日月状に形成され、上部の中央における一方の側面に側面視において略矩形状の凹部１４が形成され、この凹部１４の略中央には厚み方向に貫通する取付孔１５が穿設されている。また、このプレート１３の中央の下部には、側面視において半円形の切欠き１６が形成されている。プレート１３の長手方向の両端部には、挿通孔１７ａ，１８ａが穿設された溝１７，１８が形成され、一方の溝１７の上部には段部１９が形成され、この段部１９には、上述した取付孔１５と直交するように取付孔１５に連通するねじ孔１９ａが形成されている。このプレート１３は、ベアラ９の凹部１０内に係入され、ボルト２１を挿通孔１７ａ，１８ａに挿通させ、凹部１０の底部に形成したねじ孔に螺合することにより、取付孔１５が長溝３に対向するように位置付けられて取り付けられる。
【００１０】
図２において、２５は扁平状の直方体に形成された見当部材としての見当ブロックであって、一方の側面に見当面２５ａが形成され、他方の側面には小軸２５ｂが突設され、この小軸２５ｂの外径は、上述したプレート１３の取付孔１５の内径よりやや小さく形成されている。この見当ブロック２５の小軸２５ｂを長溝３の凹部３ａから取付孔１５に係入し、ねじ孔１９ａに螺合させた押しねじ２８の先端を小軸２５ｂの周面に押圧させることにより、見当面２５ａの矢印Ａ−Ｂ方向の位置が調整され、ピン２６によって長溝３に臨むようにプレート１３に取り付けられている。取り付られた見当ブロック２５の見当面２５ａは、版胴２に装着される版３０の天地方向と平行となるように位置付けられている。
【００１１】
図６において、３０は版であって、全長方向の両端部はくわえ側端部３１と尻側端部３２とを形成し、くわえ側端部３１の先端は、折曲線３８に沿って略直角に折り曲げられた折曲部３１ａが形成されている。また、尻側端部３２の先端は、折曲線３９に沿って略直角に折り曲げられた第１の折曲部３２ａと、折曲線４０に沿って略直角に折り曲げられた第２の折曲部３２ｂとが形成されている。くわえ側端部３１とには、円形の孔３３および長方形の孔３４が穿設されており、これら孔３３，３４は、製版する際の位置決め用の孔として従来から広く使用されているものである。
【００１２】
また、くわえ側端部３１の先端の両側部には、一対のＬ字状の切欠き４２，４２が形成され、これら切欠き４２，４２には、上述した見当ブロック２５の見当面２５ａに滑合する滑合面４２ａ，４２ａが形成されている。そして、これら切欠き４２，４２によって形成されたくわえ側の先端部には、平面視において三角形の面取部４３，４３が形成されている。また、尻側端部３２の先端の両側部には、一対のＬ字状の切欠き４５，４５が形成され、これら切欠き４５，４５には、上述した見当ブロック２５の見当面２５ａに遊合する遊合面４５ａ，４５ａが形成されている。
【００１３】
くわえ側端部３１の左右の切欠き４２，４２の滑合面４２ａ，４２ａ間の間隔Ｌ２は、左右の見当ブロック２５，２５の見当面２５ａ，２５ａ間の間隔Ｌ１よりもδ１だけ小さく形成されている。また、尻側端部３２の左右の切欠き４５，４５の遊合面４５ａ，４５ａ間の間隔Ｌ３は、左右の見当ブロック２５，２５の見当面２５ａ，２５ａ間の間隔Ｌ１よりもδ２だけ小さく形成されている。換言すれば、見当ブロック２５の見当面２５ａと切欠き４２の滑合面４２ａとの間には、δ１のクリアランスが設けられ、見当ブロック２５の見当面２５ａ間と切欠き４５の滑合面４５ａとの間には、δ２のクリアランスが設けられている。
【００１４】
そして、δ１については、０．０１〜０．０８ｍｍの範囲内に設定されており、この設定値については、見当ブロック２５の見当面２５ａと切欠き４２の滑合面４２ａとの間に遊びがなく、かつ滑合し終えたときにその感触が作業者に得られることが実験によって確かめられたクリアランスである。また、δ２については、上述したδ１よりも大きい０．１〜１．０ｍｍの範囲内に設定されている。これは、くわえ側端部３１の切欠き４２を見当ブロック２５，２５の見当面２５ａ，２５ａ間に滑合させ、くわえ側端部３１の左右の見当合わせを行っても、版３０の全長が長いため、版胴２を１回転させ版３０を版胴２の周面に巻き付ける際に、版３０が天地方向に対して多少の傾きをもって巻き付けられることがある。この傾きを見込んで、尻側端部３２を見当ブロック２５，２５の見当面２５ａ，２５ａ間に遊合可能にするためのクリアランスである。
【００１５】
次に、このような構成の輪転印刷機の版装着構造において、図７に基づいて版の装着動作を説明する。
同図（ａ）において、版３０が装着される前に、あらかじめ版保持片７のくわえ側保持用の端部７ａが長溝３の左方の側壁から離間するように、巻棒４を図示を省略した回動操作部材によって図中時計方向に回動させておく。図６に示すように、左右の切欠き４２，４２の滑合面４２ａ，４２ａを左右の見当ブロック２５，２５の見当面２５ａ，２５ａ間に滑合させるようにして、版３０のくわえ側端部３１の折曲部３１ａを長溝３内に係入する。このとき、Ｌ２がＬ１よりきわめて僅かに小さいδ１に設定されているが、切欠き４２，４２の先端に面取部４３，４３が形成されていることにより、この面取部４３，４３を案内面とすることにより、滑合面４２ａを容易に見当ブロック２５の見当面２５ａ内に係入させることができる。
【００１６】
しかもδ１が、滑合面４２ａを見当ブロック２５の見当面２５ａ内に滑合し終わったという感触を作業者に与える０．０１〜０．０８ｍｍの範囲内に設定されていることにより、作業者は切欠き４２を見当ブロック２５内に滑合し終わったことが感触として得られる。したがって、折曲部３１ａを長溝３内に係入し終わらないうちに、版３０を版胴２に巻き付けることがなくなるので、版３０が版胴２の外周から浮き上がることが防止される。このように長溝３内に折曲部３１ａが係入された版３０は、左右の切欠き４２の滑合面４２ａ，４２ａが左右の見当ブロック２５，２５の見当面２５ａ，２５ａによって見当合わせされているので、左右方向へのずれが規制される。
【００１７】
図７（ｂ）に示すように、くわえ側端部３１の折曲部３１ａが長溝３内に係入されると、巻棒４を図中反時計方向に回動操作し、版保持片７の端部７ａを折曲部３１ａに押圧し、折曲部３１ａを端部７ａと長溝３の左方の側壁とで弾持する。次に、版胴２を図中時計方向に略１回転させ、版３０を版胴２の外周に巻き付け、尻側端部３２の第１の折曲部３２ａを版胴２の長溝３の上方に位置付ける。この時点で、同図（ｃ）に示すように、尻側保持用の端部７ｂを長溝３の右方の側壁に当接させるまで、巻棒４を時計方向に回動操作し、端部７ｂの先端と長溝３の左方の側壁との間隔を拡げる。
【００１８】
この状態としてから、図６に示すように、尻側端部３２の左右の切欠き４５，４５の遊合面４５ａ，４５ａを左右の見当ブロック２５，２５の見当面２５ａ，２５ａ内に遊合させるようにして、図７（ｃ）に示すように、第１の折曲部３２ａを長溝３内に係入する。このとき、切欠き４５の遊合面４５ａと見当ブロック２５の見当面２５ａとのクリアランスであるδ２が、δ１よりも大きい０．１〜１．０ｍｍに設定されているので、版３０を版胴２の外周に巻き付ける際に版３０の天地方向に対して多少傾斜しても、遊合面４５ａを容易に見当ブロック２５の見当面２５ａ内に係入させることができる。また、尻側端部３２を長溝３内に係入する前に、あらかじめ、版保持片７の尻側保持用の端部７ｂを長溝３の左方の側壁から離間させているので、第１の折曲部３２ａを端部７ｂに引っかけることなく、円滑に長溝３内に係入することができる。
【００１９】
尻側端部３２の折曲部３２ａ，３２ｂが長溝３内に係入されると、巻棒４を図中反時計方向に回動操作し、版保持片７の尻側保持用の端部７ｂが第１の折曲部３２ａに係合する。したがって、巻棒４をさらに反時計方向に回動操作することにより、版３０はくわえ側端部３１の折曲部３１ａが長溝３の上端縁に係合した状態で、版張り方向に引っ張られ、版３０は版胴２の外周に密着して装着される。版胴２に装着された版３０は、くわえ側端部３１の折曲部３１ａが長溝３の上端縁に係合することにより天地方向の見当合わせが行われ、くわえ側端部３１の左右の切欠き４２，４２の滑合面４２ａ，４２ａが、左右の見当ブロック２５，２５の見当面２５ａ，２５ａに滑合することによって左右方向の見当合わせが行われる。
【００２０】
このように、版３０の左右の見当合わせを、左右の見当ブロック２５，２５の見当面２５ａ，２５ａによって行われることにより、版３０を版胴２に巻き付ける際に左右にずれることがないので、見当精度が向上し損紙の発生が低減する。また、版３０のくわえ側端部３１の切欠き４２の先端に設けた面取部４３を案内面とすることにより、滑合面４２ａを容易に見当ブロック２５の見当面２５ａ内に滑合させることができ、このため準備時間が短縮される。
【００２１】
なお、本実施の形態では、面取部４３を平面視において三角形に形成したが、円弧状に形成してもよく、種々の形状が可能である。
【００２２】
【発明の効果】
以上説明したように本発明によれば、見当精度が向上し損紙の発生が低減されるとともに、準備時間が短縮される。また、切欠きを見当部材に係入し終わった感触が作業者に得られるので、版の版胴の外周からの浮き上がりを防止することができ、このため版の装着に熟練を必要とせずに容易に行うことができる。
【００２３】
また、第２の発明によれば、尻側端部の長溝内への係入が容易になり、準備時間が短縮される。
【図面の簡単な説明】
【図１】  本発明に係る輪転印刷機の版装着構造における版胴を一部破断して示す側面図である。
【図２】  本発明に係る輪転印刷機の版装着構造における版胴のベアラの平面図である。
【図３】  本発明に係る輪転印刷機の版装着構造におけるベアラに取り付けられるプレートを示し、（ａ）は右側面図、（ｂ）は平面図、（ｃ）は左側面図である。
【図４】  本発明に係る輪転印刷機の版装着構造における版胴に版のくわえ側端部を係入する状態を示し、（ａ）は平面図、（ｂ）は（ａ）におけるａ矢視拡大図、（ｃ）は（ａ）におけるｃ矢視拡大図であって、便宜上、版については黒塗りで示し、見当ブロックについてはハッチングで示している。
【図５】  本発明に係る輪転印刷機の版装着構造における版胴に版の尻側端部を係入する状態を示し、（ａ）は平面図、（ｂ）は（ａ）におけるａ矢視拡大図、（ｃ）は（ａ）におけるｃ矢視拡大図であって、便宜上、版については黒塗りで示し、見当ブロックについてはハッチングで示している。
【図６】  本発明に係る輪転印刷機の版装着構造における版胴の見当ブロックへ版のくわえ側端部と尻側端部とを係入する状態を説明するためのモデル図である。
【図７】  本発明に係る輪転印刷機の版装着構造における版胴に版を装着する動作を説明するための断面図で、（ａ）は装着する前の状態を示し、（ｂ）はくわえ側端部を長溝内に保持した状態を示し、（ｃ）は尻側端部を長溝内に係入する状態を示し、（ｄ）は尻側端部を長溝内に保持した状態を示す。
【符号の説明】
２…版胴、３…長溝、４…巻棒、５…切溝、７…版保持片、９…ベアラ、１３…プレート、２５…見当ブロック、２５ａ…見当面、３０…版、３１…くわえ側端部、３２…尻側端部、４２，４５…切欠き、４２ａ…滑合面、４５ａ…遊合面。
【図１】
0003764260.tif 000002
【図２】
0003764260.tif 000003
【図３】
0003764260.tif 000004
【図４】
0003764260.tif 000005
【図５】
0003764260.tif 000006
【図６】
0003764260.tif 000007
【図７】
0003764260.tif 000008